(57)【要約】  ドラッグ調節アセンブリは、レバーアームユニット、ナット、第１のキー付き構造体、第２のキー付き構造体、およびばねを含む。レバーアームユニットは、ハウジングを形成し、少なくとも１つのキー溝を含む。ナット、第１のキー付き構造体、および第２のキー付き構造体は、ハウジングの中に位置決めされている。第１のキー付き構造体および第２のキー付き構造体は、少なくとも１つのキー溝に係合する少なくとも１つのキーをそれぞれ含む。ナットの内側表面は、ねじ山付きになっており、第１のキー付き構造体の外側表面は、対応するねじ山を有している。ばねは、第１のキー付き構造体と第２のキー付き構造体との間に位置決めされている。
2020517246.tif 000002
【特許請求の範囲】
【請求項１】
ハウジングを形成し、少なくとも１つのキー溝を含む、レバーアームユニットと、
前記ハウジングの中に部分的に位置決めされている、ねじ山付きの内側表面を有するナットと、
前記ハウジングの中に位置決めされている第１のキー付き構造体であって、前記少なくとも１つのキー溝に係合する少なくとも１つのキー、および、前記ナットのねじ山付きの内側表面に係合するねじ山付きの表面を含む、第１のキー付き構造体と、
前記ハウジングの中に位置決めされている第２のキー付き構造体であって、前記少なくとも１つのキー溝に係合する少なくとも１つのキーを含む、第２のキー付き構造体と、
前記第１キー付き構造体と前記第２のキー付き構造体との間に固定されているばねと
を含む、ドラッグ調節アセンブリ。
【請求項２】
前記ばねは、２つ以上のベリビルワッシャを含む、請求項１に記載のドラッグ調節アセンブリ。
【請求項３】
前記２つ以上のベリビルワッシャは、交互の向きで積み重なった状態になっている、請求項２に記載のドラッグ調節アセンブリ。
【請求項４】
前記ばねは、３つのベリビルワッシャを含む、請求項３に記載のドラッグ調節アセンブリ。
【請求項５】
前記第１のキー付き構造体は、ベースと、前記ベースから延在するフランジとを含む第１のキー付きワッシャであり、前記ベースは、前記少なくとも１つのキーを含み、前記フランジは、前記ねじ山付きの表面を含む、請求項１に記載のドラッグ調節アセンブリ。
【請求項６】
レバーアームユニット、前記ナット、前記第１のキー付き構造体、前記第２のキー付き構造体、およびばねは、中心開口部をそれぞれ含み、前記中心開口部同士は、同軸になっている、請求項１に記載のドラッグ調節アセンブリ。
【請求項７】
前記レバーアームユニットは、ベースを含み、前記ハウジングは、前記ベースから延在する円筒形状のフランジの形態になっている、請求項１に記載のドラッグ調節アセンブリ。
【請求項８】
前記少なくとも１つのキー溝は、前記円筒形状のフランジの中のチャネルである、請求項７に記載のドラッグ調節アセンブリ。
【請求項９】
前記ベースは、円形になっており、中心円形開口部を含み、前記円筒形状のフランジは、前記中心円形開口部と同軸になっており、前記レバーアームユニットは、前記ベースから半径方向に延在する複数の把持部分を含む、請求項８に記載のドラッグ調節アセンブリ。
【請求項１０】
前記中心円形開口部は、第１の内径を有する第１の部分と、第２の内径を有する第２の部分とを備えた内側表面を有しており、前記第１の内径は、前記第２の内径よりも小さくなっている、請求項９に記載のドラッグ調節アセンブリ。
【請求項１１】
前記ナットは、第１の外径を有する第１の部分、および、第２の外径を有する第２の部分を有する円筒形状のベースと、前記ベースから延在するドライバヘッドとを含み、前記第１の外径は、前記第２の外径よりも小さくなっており、前記第１の外径は、前記レバーアームユニットの前記円筒形状のフランジの前記中心円形開口部の前記第１の部分の前記第１の内径よりも小さくなっており、前記第２の外径は、前記レバーアームユニットの前記円筒形状のフランジの前記中心円形開口部の前記第１の部分の前記第１の内径よりも大きくなっており、前記レバーアームユニットの前記円筒形状のフランジの前記中心円形開口部の前記第２の部分の前記第２の内径よりも小さくなっている、請求項１０に記載のドラッグ調節アセンブリ。
【請求項１２】
前記ナットは、前記レバーアームユニットの前記円筒形状のフランジの中に位置決めされ、その結果、前記円筒形状のベースが、前記レバーアームユニットの前記中心円形開口部と同軸になり、前記ナットヘッドが、前記ハウジングの外側にあるようになっている、請求項１１に記載のドラッグ調節アセンブリ。
【請求項１３】
ドラッグ調節アセンブリであって、
（Ａ）レバーアームユニットであって、
（ｉ）前方表面、後方表面、および、それを通る開口部を有する、円形ベース、
（ｉｉ）前記円形ベースから半径方向に延在する複数の把持部分、ならびに、
（ｉｉｉ）前記円形ベースの前記後方表面から前記開口部と同軸に延在し、複数のチャネルを含む、円筒形状のフランジ
を含む、レバーアームユニットと、
（Ｂ）ナットであって、
（ｉ）外側表面、前方表面、後方表面、および、それを通る開口部を有し、前記開口部は、ねじ山付きの内側表面を有している、円筒形状の本体部、ならびに、
（ｉｉ）前記前方表面から延在するドライバヘッド
を含む、ナットと、
（Ｃ）第１のキー付きワッシャであって、
（ｉ）前方表面、後方表面、および、それを通る開口部を有する、円筒形状の本体部、
（ｉｉ）前記円筒形状の本体部から半径方向に延在する複数のタブ、ならびに、
（ｉｉｉ）前記前方表面から前記開口部と同軸に延在し、ねじ山付きの外側表面を有している、円筒形状のフランジ
を含む、第１のキー付きワッシャと、
（Ｄ）第２のキー付きワッシャであって、
（ｉ）それを通る開口部を有する円筒形状の本体部、および、
（ｉｉ）前記円筒形状の本体部から半径方向に延在する複数のタブ
を含む、第２のキー付きワッシャと、
（Ｅ）それを通る開口部をそれぞれ有する少なくとも２つのベリビルワッシャを含むばねと、
（Ｆ）スリーブと
を含み、
前記ナットは、前記レバーアームユニットの前記円筒形状のフランジの中に位置決めされ、その結果、前記ナットの前記開口部が、前記レバーアームユニットの前記開口部と同軸になり、前記ドライバヘッドが、前記レバーアームユニットの前記円形ベースの前記前方表面を越えて突出するようになっており、
前記第１のキー付きワッシャは、前記レバーアームユニットの前記円筒形状のフランジの中に位置決めされ、その結果、前記複数のタブのそれぞれが、前記レバーアームユニットの前記複数のチャネルのうちの１つに係合し、前記第１のキー付きワッシャの前記円筒形状のフランジの前記ねじ山付きの外側表面が、前記ナットの前記円筒形状のフランジの前記ねじ山付きの内側表面に係合し、前記第１のキー付きワッシャの前記開口部が、前記ナットおよび前記レバーアームユニットの前記開口部と同軸になるようになっており、
前記第２のキー付きワッシャは、前記レバーアームユニットの前記円筒形状のフランジの中に位置決めされ、その結果、前記複数のタブのそれぞれが、前記レバーアームユニットの前記複数のチャネルのうちの１つに係合し、前記第２のキー付きワッシャの前記開口部が、前記第１のキー付きワッシャ、ナット、および前記レバーアームユニットの前記開口部と同軸になっており、
前記少なくとも２つのベリビルワッシャは、前記第１のキー付きワッシャと前記第２のキー付きワッシャとの間で、前記レバーアームユニットの前記円筒形状のフランジの中に交互の向きで位置決めされ、その結果、前記少なくとも２つのベリビルワッシャの前記開口部が、前記第２のキー付きワッシャ、前記第１のキー付きワッシャ、前記ナット、および前記レバーアームユニットの前記開口部と同軸になるようになっており、
前記スリーブは、前記レバーアームユニットの前記円筒形状のフランジを囲んでいる、ドラッグ調節アセンブリ。
【請求項１４】
前記ばねは、少なくとも３つのベリビルワッシャを含む、請求項１３に記載のドラッグ調節アセンブリ。
【請求項１５】
前記レバーアームユニットの回転は、前記ナット、第１のキー付きワッシャ、および第２のキー付きワッシャの回転を引き起こす、請求項１３に記載のドラッグ調節アセンブリ。
【請求項１６】
前記ナットの回転は、前記第１のキー付きワッシャのみの回転を引き起こす、請求項１３に記載のドラッグ調節アセンブリ。
【請求項１７】
ハウジングを形成しており、少なくとも１つのキー溝を含む、レバーアームユニットと、
前記ハウジングの中に部分的に位置決めされている、ねじ山付きの内側表面を有するナットと、
前記ハウジングの中に位置決めされている第１のキー付き構造体であって、前記少なくとも１つのキー溝に係合する少なくとも１つのキー、および、前記ナットのねじ山付きの内側表面に係合するねじ山付きの表面を含む、第１のキー付き構造体と、
前記ハウジングの中に位置決めされている第２のキー付き構造体であって、前記少なくとも１つのキー溝に係合する少なくとも１つのキーを含む、第２のキー付き構造体と、
前記第１のキー付き構造体と前記第２のキー付き構造体との間に固定されているばねと
を含む、スタードラッグリール。
【請求項１８】
前記ばねは、少なくとも３つのベリビルワッシャを含む、請求項１７に記載のスタードラッグリール。
【請求項１９】
（Ａ）前記レバーアームユニットは、
（ｉ）前方表面、後方表面、および、それを通る開口部を有する、円形ベース、
（ｉｉ）前記円形ベースから半径方向に延在する複数の把持部分、ならびに、
（ｉｉｉ）前記ハウジングを形成する円筒形状のフランジであって、前記円形ベースの前記後方表面から前記開口部と同軸に延在し、前記少なくとも１つのキー溝は、前記円筒形状のフランジの中に複数のチャネルを含む、円筒形状のフランジ
を含み、
（Ｂ）前記ナットは、
（ｉ）外側表面、前方表面、後方表面、および、それを通る開口部を有し、前記開口部は、前記ねじ山付きの内側表面を有している、円筒形状の本体部、ならびに、
（ｉｉ）前記前方表面から延在するドライバヘッド
を含み、
（Ｃ）前記第１のキー付き構造体は、
（ｉ）前方表面、後方表面、および、それを通る開口部を有する、円筒形状の本体部、ならびに、
（ｉｉ）外側表面を有しており、前記前方表面から前記開口部と同軸に延在している、円筒形状のフランジ
を含み、
前記少なくとも１つのキーは、前記円筒形状の本体部から半径方向に延在する複数のタブであり、
前記ねじ山付きの表面は、前記円筒形状のフランジの前記外側表面であり、
（Ｄ）前記第２のキー付き構造体は、
（ｉ）それを通る開口部を有する円筒形状の本体部
を含み、
前記少なくとも１つのキーは、前記円筒形状の本体部から半径方向に延在する複数のタブであり、
（Ｅ）前記ベリビルワッシャは、それを通る開口部をそれぞれ有している、請求項１８に記載のスタードラッグリール。
【請求項２０】
前記スタードラッグリールは、メインドライブシャフトをさらに含み、
前記ナットは、前記レバーアームユニットの前記円筒形状のフランジの中に位置決めされ、その結果、前記ナットの前記開口部が、前記レバーアームユニットの前記開口部と同軸になり、前記ドライバヘッドが、前記レバーアームユニットの前記円形ベースの前記前方表面を越えて突出するようになっており、
前記第１のキー付きワッシャは、前記レバーアームユニットの前記円筒形状のフランジの中に位置決めされ、その結果、前記複数のタブのそれぞれが、前記レバーアームユニットの前記複数のチャネルのうちの１つに係合し、前記第１のキー付きワッシャの前記円筒形状のフランジの前記ねじ山付きの外側表面が、前記ナットの前記円筒形状のフランジの前記ねじ山付きの内側表面に係合し、前記第１のキー付きワッシャの前記開口部が、前記ナットおよび前記レバーアームユニットの前記開口部と同軸になるようになっており、
前記第２のキー付きワッシャは、前記レバーアームユニットの前記円筒形状のフランジの中に位置決めされ、その結果、前記複数のタブのそれぞれが、前記レバーアームユニットの前記複数のチャネルのうちの１つに係合し、前記第２のキー付きワッシャの前記開口部が、前記第１のキー付きワッシャ、ナット、および前記レバーアームユニットの前記開口部と同軸になっており、
前記少なくとも２つのベリビルワッシャは、前記第１のキー付きワッシャと前記第２のキー付きワッシャとの間で、前記レバーアームユニットの前記円筒形状のフランジの中に交互の向きで位置決めされ、その結果、前記少なくとも２つのベリビルワッシャの前記開口部が、前記第２のキー付きワッシャ、前記第１のキー付きワッシャ、前記ナット、および前記レバーアームユニットの前記開口部と同軸になるようになっており、
前記メインドライブシャフトは、前記ナット、第１のキー付きワッシャ、ベリビルワッシャ、および第２のキー付きワッシャの同軸の前記開口部を通って延在している、請求項１９に記載のスタードラッグリール。
【発明の詳細な説明】
【技術分野】
【０００１】
本発明は、概して、フィッシングリールの分野に関する。より具体的には、本発明は、フィッシングリールのためのドラッグ調節機構（ｄｒａｇ  ａｄｊｕｓｔｍｅｎｔ  ｍｅｃｈａｎｉｓｍ）に関し、さらにより具体的には、スタードラッグフィッシングリール（ｓｔａｒ  ｄｒａｇ  ｆｉｓｈｉｎｇ  ｒｅｅｌｓ）のためのドラッグ調節アセンブリに関する。
【背景技術】
【０００２】
フィッシングリールのためのスタードラッグ機構が知られている。スタードラッグ機構は、スタードラッグ機構の構造によって許容される範囲内でおよび単位で、ユーザがフィッシングラインの上のドラッグの量を調節することを可能にする。提供される範囲の中で、より大きい範囲の調節可能性またはより微細な調節可能性のいずれかが望まれる場合には、ユーザは、スタードラッグ機構を分解し、コンポーネントを交換しなければならない。
【０００３】
そのうえ、ドラッグ調節の異なる量および範囲が、異なるフィッシング環境に関して好適である。いくつかの状況では、大きい範囲の調節可能性が好適であるが、他の状況では、小さい範囲の調節可能性だけが使用されることになる。ドラッグ調節の範囲を変化させる必要性に対処するために、アングラーのなかには、複数のフィッシングリールを所有するものもあり、フィッシング環境に基づいて、（所望の量のドラッグ調節によって）所望のリールを選択することが可能である。
【０００４】
これらの問題のうちの１つまたは複数に対処する、スタードラッグリールのドラッグを調節するための新しいまたは改善されたドラッグ調節アセンブリが開発され得る場合、有利となろう。
【発明の概要】
【課題を解決するための手段】
【０００５】
本開示の実施形態によれば、ドラッグ調節アセンブリが、本明細書で開示されている。ある実施形態では、ドラッグ調節アセンブリは、ハウジングを形成し、少なくとも１つのキー溝を含む、レバーアームユニットと、ハウジングの中に部分的に位置決めされている、ねじ山付きの内側表面を有するナットと、ハウジングの中に位置決めされている第１のキー付き構造体であって、少なくとも１つのキー溝に係合する少なくとも１つのキー、および、ナットのねじ山付きの内側表面に係合するねじ山付きの表面を含む、第１のキー付き構造体と、ハウジングの中に位置決めされている第２のキー付き構造体であって、少なくとも１つのキー溝に係合する少なくとも１つのキーを含む、第２のキー付き構造体と、第１キー付き構造体と第２のキー付き構造体との間に固定されているばねとを含む。
【０００６】
ある実施形態では、ドラッグ調節アセンブリは、（Ａ）レバーアームユニットであって、（ｉ）前方表面、後方表面、および、それを通る開口部を有する、円形ベース、（ｉｉ）円形ベースから半径方向に延在する複数の把持部分、ならびに、（ｉｉｉ）円形ベースの後方表面から開口部と同軸に延在し、複数のチャネルを含む、円筒形状のフランジを含む、レバーアームユニットと、（Ｂ）ナットであって、（ｉ）外側表面、前方表面、後方表面、および、それを通る開口部を有し、開口部は、ねじ山付きの内側表面を有している、円筒形状の本体部、ならびに、（ｉｉ）前方表面から延在するドライバヘッドを含む、ナットと、（Ｃ）第１のキー付きワッシャであって、（ｉ）前方表面、後方表面、および、それを通る開口部を有する、円筒形状の本体部、（ｉｉ）円筒形状の本体部から半径方向に延在する複数のタブ、ならびに、（ｉｉｉ）前方表面から開口部と同軸に延在し、ねじ山付きの外側表面を有している、円筒形状のフランジを含む、第１のキー付きワッシャと、（Ｄ）第２のキー付きワッシャであって、（ｉ）それを通る開口部を有する円筒形状の本体部、および、（ｉｉ）円筒形状の本体部から半径方向に延在する複数のタブを含む、第２のキー付きワッシャと、（Ｅ）それを通る開口部をそれぞれ有する少なくとも２つのベリビルワッシャ（Ｂｅｌｌｅｖｉｌｌｅ  ｗａｓｈｅｒｓ）を含むばねと、（Ｆ）スリーブとを含み、ナットは、レバーアームユニットの円筒形状のフランジの中に位置決めされ、その結果、ナットの開口部が、レバーアームユニットの開口部と同軸になり、ドライバヘッドが、レバーアームユニットの円形ベースの前方表面を越えて突出するようになっており、第１のキー付きワッシャは、レバーアームユニットの円筒形状のフランジの中に位置決めされ、その結果、複数のタブのそれぞれが、レバーアームユニットの複数のチャネルのうちの１つに係合し、第１のキー付きワッシャの円筒形状のフランジのねじ山付きの外側表面が、ナットの円筒形状のフランジのねじ山付きの内側表面に係合し、第１のキー付きワッシャの開口部が、ナットおよびレバーアームユニットの開口部と同軸になるようになっており、第２のキー付きワッシャは、レバーアームユニットの円筒形状のフランジの中に位置決めされ、その結果、複数のタブのそれぞれが、レバーアームユニットの複数のチャネルのうちの１つに係合し、第２のキー付きワッシャの開口部が、第１のキー付きワッシャ、ナット、およびレバーアームユニットの開口部と同軸になっており、少なくとも２つのベリビルワッシャは、第１のキー付きワッシャと第２のキー付きワッシャとの間で、レバーアームユニットの円筒形状のフランジの中に交互の向きで位置決めされ、その結果、少なくとも２つのベリビルワッシャの開口部が、第２のキー付きワッシャ、第１のキー付きワッシャ、ナット、およびレバーアームユニットの開口部と同軸になるようになっており、スリーブは、レバーアームユニットの円筒形状のフランジを囲んでいる。
【０００７】
本開示の実施形態によれば、スタードラッグリールが、本明細書で開示されている。ある実施形態では、スタードラッグリールは、ハウジングを形成しており、少なくとも１つのキー溝を含む、レバーアームユニットと、ハウジングの中に部分的に位置決めされている、ねじ山付きの内側表面を有するナットと、ハウジングの中に位置決めされている第１のキー付き構造体であって、少なくとも１つのキー溝に係合する少なくとも１つのキー、および、ナットのねじ山付きの内側表面に係合するねじ山付きの表面を含む、第１のキー付き構造体と、ハウジングの中に位置決めされている第２のキー付き構造体であって、少なくとも１つのキー溝に係合する少なくとも１つのキーを含む、第２のキー付き構造体と、第１のキー付き構造体と第２のキー付き構造体との間に固定されているばねとを含む。
【図面の簡単な説明】
【０００８】
【図１】本開示の実施形態によるドラッグ調節アセンブリを含む組み立てられたスタードラッグリールの斜視図である。
【図２】その分解図である。
【図３】線３−３に沿って見たその断面図である。
【図３Ａ】図３の一部分の拡大図である。
【図４】異なった初期のばね圧縮におけるスターホイールの１ターン当たりのドラッグの変化を示すグラフである。
【発明を実施するための形態】
【０００９】
図１は、本開示の実施形態によるスタードラッグリールのためのドラッグ調節アセンブリ１００を示している。示されている実施形態では、ドラッグ調節アセンブリ１００の大半は、スリーブ８０の中に収容されており、レバーアームユニット１０およびナット２０のみが露出されるようになっている。とりわけ、ナット２０のドライバヘッド２２のみが、レバーアームユニット１０から延在している。
【００１０】
図２は、より詳細なドラッグ調節アセンブリ１００の分解図である。レバーアームユニット１０およびナット２０が再び示されている。また、ドラッグ調節アセンブリ１００は、第１のキー付きワッシャ３０、ばね４０（示されている実施形態では、ベリビルワッシャ４２、４４、４６から構成される）、第２のキー付きワッシャ５０、ロッキングリング６０、およびスリーブ８０を含む。
【００１１】
レバーアームユニット１０は、前方表面１１ａおよび後方表面１１ｂを有するベース１１を含む。ベース１１は、開口部１３を備えた概して円形になっており、開口部１３は、本体部１１の中心を通って前方表面１１ａから後方表面１１ｂへ延在しており、開口部が本体部１１の厚さに等しい長さを有するようになっている。示されている実施形態では、開口部１３は、本体部１１に対して概して中心に位置決めされている。
【００１２】
恐らく最良に図３に示されているように、内径は、開口部１３の長さに沿って一貫していない可能性がある。むしろ、開口部１３は、階段状の内径を有することが可能である。示されている例示的な実施形態では、開口部１３は、第１の内径の第１のセクション１３ａ、および、第２の内径の第２のセクション１３ｂを有しており、第１の内径は、第２の内径よりも小さくなっている。
【００１３】
本体部１１は、少なくとも２つの把持部分１２をさらに含み、少なくとも２つの把持部分１２は、レバーアームユニット１０の本体部１１から半径方向に延在し、開口部１３の周りに配設されている。把持部分１２は、レバーアームであり、軸線Ａの周りにレバーアームユニット１０を回転させる際にユーザを支援するように構成されている。レバーアームユニット１０が５つの把持部分１２を有するものとして示されており、レバーアームユニット１０に星のような外見を与えているが、任意の数の把持部分が設けられてもよいことが認識されよう。把持部分の特定の形状および構成は、適宜変わることが可能である。
【００１４】
概して円筒形状のフランジ１９が、本体部１１の後方表面１１ｂから延在し、開口部１３と同軸になるようになっており、概して円筒形状のフランジ１９は、ドラッグ調節アセンブリ１００の部分のためのハウジングを形成している。フランジ１９の外側表面１４および内側表面１６は、それぞれ、概して滑らかになっており、１対の溝部６５、８５がそれぞれ外側壁部１４および内側壁部１６の中にあることを除いて、フランジ１９の長さに沿って概して一貫した内径および外径をもたらす。また、フランジ１９は、複数のチャネル１８を含み、複数のチャネル１８は、軸線Ａに対して概して平行の方向に、フランジ１９の長さの大部分に延在している。示されている実施形態では、本体部１１の周りに均等に位置決めされた４つのチャネル１８ａ、１８ｂ、１８ｃ、１８ｄが存在しているが、より詳細に下記に議論されているように、任意の数のチャネル１８は、キー付きワッシャ３０、５０の特定の形状および構成に応じて、変わることが可能である。同様に、４つのチャネル１８ａ、１８ｂ、１８ｃ、１８ｄのうちのそれぞれは、概して長方形として示されているが、それぞれのチャネルの特定の形状および幾何学形状は、さらに詳細に下記に議論されるように、キー付きワッシャ３０、５０のタブ３８、５８の形状および構成に応じて、変わることが可能である。
【００１５】
示されている実施形態では、チャネル１８ａ、１８ｂ、１８ｃ、１８ｄのそれぞれは、フランジ１９の自由端部１７から延在しており、本体部１１の後方表面１１ｂに接触する前に終了している。
【００１６】
ナット２０を見てみると、ナット２０は、主本体部２１を有しており、主本体部２１は、概して円筒形状になっており、本体部２１の第１の（前方）側部２１ａの上にドライバヘッド２２を備えており、また、概して平坦な第２の（後方）側部２１ｂを備えている。示されている実施形態では、ナット２０は、円形開口部２３を有しており、円形開口部２３は、主本体部２１の上におおよそ中心に位置する。示されている実施形態では、ドライバヘッド２２は、標準的にサイズ決めされた六角ヘッドになっているものとして示されている。しかし、さらなる実施形態では、ドライバヘッド２２の特定の形状および構成は、たとえば、特定の地理的な場所または産業に対して存在する共通のツールなどに基づいて、適宜変わることが可能である。たとえば、他の実施形態では、ドライバヘッド２２は、平坦形、楕円形、皿形（ｐａｎ）、トラス形、丸形、６角形、６角形、ボタン、またはソケットキャップを含む、任意の公知のヘッド形状／スタイルを有することが可能である。そのうえ、ヘッド形状／スタイルのいずれかに関して、特定のドライブスタイルが、同様に変わることが可能である。例示的なドライブスタイルは、Ｐｈｉｌｌｉｐｓスタイル、Ｆｒｅａｒｓｏｎスタイル、スロット付きスタイル、ソケットスタイル、６角形スタイル、アレンスタイル、正方形スタイル、およびスタースタイルを含む。
【００１７】
本体部２１の外側表面２４は、階段状になっており、ナット２０の外径が、ナット本体部２１の長さに沿って一貫していないようになっている。示されている例示的な実施形態では、および、恐らく最良に図３Ａに示されているように、第１の階段状の部分２５ａは、第１の外径を有しており、第２の階段状の部分２５ｂは、第２の外径を有しており、第１の外径が第２の外径よりも小さくなるようになっている。
【００１８】
とりわけ図３を参照して示されているように、ナット本体部２１の第１の外径および第２の外径の両方は、円筒形状のフランジ１９の内径よりも小さくなっており、それによって、ナット２０が円筒形状のフランジ１９の中へ挿入されることを可能にし、ヘッド２２の開口部２３がレバーアームユニット１０の開口部１３と同軸になるようになっている。ナット本体部２１の第１の階段状の部分２５ａの外径は、開口部１３の第１のセクション１３ａの内径よりもほんのわずかに小さくなっており、ナット本体部１２の第２の階段状の部分２５ｂの外径は、開口部１３の第２のセクション１３ｂの内径よりもほんのわずかに小さくなっている。このように、ナット２０は、レバーアームユニット本体部１１の開口部１３の中へ摺動することができ、ドライバヘッド２２が開口部１３から外へ本体部１１の前方表面１１ａを通過して延在するようになっている。本体部１１の第１および第２の階段状のセクション１１ａ、１１ｂの内側表面は、それぞれ、ナット本体部２１の第１および第２の部分２５ａ、２５ｂの対応する外側表面に接触しており、本体部１１の表面１３ｃとナット本体部２１の表面２５ｃとの間のインターフェースが、図３Ａに示されているように、ナット２０が開口部１３からさらに外へ延在することを防止するようになっている。
【００１９】
ナット本体部２１の内側表面２６は、ねじ山付きになっている。
【００２０】
第１のキー付きワッシャ３０は、滑らかな外側表面３６を備えた本体部３１を有する概して円筒形状の構造体である。複数のタブ３８が、外側表面３６から半径方向に延在している。示されている特定の実施形態では、４つのタブ３８ａ、３８ｂ、３８ｃ、３８ｄが存在しており、４つのタブ３８ａ、３８ｂ、３８ｃ、３８ｄは、本体部３１の周りに均一に間隔を置いて配置されており、それぞれが概して長方形の形状を有している。これらの４つのタブ３８ａ、３８ｂ、３８ｃ、３８ｄは、レバーアームユニット１０のチャネル１８ａ、１８ｂ、１８ｃ、１８ｄに対応している。レバーアームユニット１０のチャネル１８が対応する様式で変化させられるという条件で、タブ３８の数、位置決め、および形状は、変わることが可能である。
【００２１】
本体部３１（タブ３８を含まず）の外径は、レバーアームユニット１０の円筒形状のフランジ１９の内径よりもちょうど小さくなっている。タブ３８をプラスした本体部３１の外径は、円筒形状のフランジ１９の内径よりも大きくなっているが、レバーアームユニット１０の円筒形状のフランジ１９の外径以下になっている。
【００２２】
概して円筒形状のフランジ３５が、本体部３１の前方表面３１ａから延在しており、第１のキー付きワッシャ３０の開口部３３と同軸になるようになっている。フランジ３５の外側表面３２は、ねじ山付きになっている。本体部３１およびフランジ３５の内側表面３４は、ねじ山付きになっており、ねじ山は、それらの２つの部分に沿って連続的になっている。開口部３３の内径は、その長さに沿って一貫している。本体部３１およびフランジ３５の内側表面３４の上のねじ切り部は、フィッシングリールの上のメインドライブシャフトの外側表面の上のねじ切り部に対応している（図示せず）。フィッシングリールのメインドライブシャフトは、示される場合には、ナット２０の開口部２３および第１のキー付きワッシャ３０の開口部３３を通って延在することになり、メインドライブシャフトの外部のねじ山が、本体部３１およびフランジ３５の内側表面３４のねじ山と係合することになるようになっている。
【００２３】
第２のキー付きワッシャ５０は、第１のキー付きワッシャ３０のものと同様の形状および構成を有している。図２に示されているように、第２のキー付きワッシャ５０は、滑らかな外側表面５６および概して円形の開口部５３を備えた本体部５１を有する概して円筒形状の構造体である。開口部５３は、滑らかな表面および一貫した内部直径を有している。複数のタブ５８が、外側表面５６から半径方向に延在している。示されている特定の実施形態では、４つのタブ５８ａ、５８ｂ、５８ｃ、５８ｄが存在しており、４つのタブ５８ａ、５８ｂ、５８ｃ、５８ｄは、本体部５１の周りに均一に間隔を置いて配置されており、それぞれが概して長方形の形状を有している。これらの４つのタブ５８ａ、５８ｂ、５８ｃ、５８ｄは、第１のキー付きワッシャ３０の４つのタブ３８ａ、３８ｂ、３８ｃ、３８ｄに対応しており、また、レバーアームユニット１０のチャネル１８ａ、１８ｂ、１８ｃ、１８ｄに対応している。第１のキー付き構造体３０と同様に、タブ５８の数、位置決め、および形状は、タブ５８がレバーアームユニット１０の上の対応するチャネル１８に係合することができるという条件で、変わることが可能である。タブ５８は、第１のキー付き構造体３０の上のタブ３８と同じチャネル１８に係合する必要はないが、好適な実施形態では、そのようになっていることが認識されよう。
【００２４】
本体部５１（タブ５８を含まず）の外径は、レバーアームユニット１０の円筒形状のフランジ１９の内径よりもちょうど小さくなっている。タブ５８をプラスした本体部５１の外径は、円筒形状のフランジ１９の内径よりも大きくなっているが、レバーアームユニット１０の円筒形状のフランジ１９の外径以下になっている。
【００２５】
ばね４０は、第１のキー付きワッシャ３０と第２のキー付きワッシャ５０との間に固定されており、第１のキー付きワッシャ３０と第２のキー付きワッシャ５０との間の距離を調節することが、ばね４０の上の圧縮の量を変化させるようになっている。
【００２６】
示されている実施形態では、ばね４０は、少なくとも１つの、好ましくは、２つ以上の、好ましくは、少なくとも３つのベリビルワッシャ４２、４４、４６から構成されている。ベリビルワッシャは、ワッシャのように形状決めされたばねのタイプである。ベリビルワッシャのばねのような特質は、切頭円錐状の形状から来ている。また、ベリビルワッシャは、円板ばね（ｄｉｓｃ  ｓｐｒｉｎｇｓ）、皿ばね（ｃｏｎｅｄ−ｄｉｓｃ  ｓｐｒｉｎｇｓ）、およびベリビルばね（Ｂｅｌｌｅｖｉｌｌｅ  ｓｐｒｉｎｇｓ）として知られている。他の実施形態では、他のばねまたはばねのような機構が使用され得るが、しかし、好適な実施形態では、ばね４０は、好ましくは、少なくとも１つのベリビルワッシャであり、好ましくは、一連の２つ以上のベリビルワッシャである。
【００２７】
１つのベリビルワッシャが使用され得るが、２つ以上のベリビルワッシャを直列に積み重ねることは、ばね定数を変化させる。切頭円錐状の形状が同じ向きになるように、ベリビルワッシャを積み重ねることは、より硬いばねを生成させ、一方、ベリビルワッシャの向きを交互にすることは、ばね定数を低下させる（より大きい撓み）。本質的に、スタックの中のベリビルワッシャの向きを交互にすることは、従来のコイルばねを直列に置くことに匹敵する。上記を考慮して、一連のベリビルワッシャをばねとして使用することによって、特定のまたは所望のばね定数を有するばねが設計され得ることが認識されよう。
【００２８】
ベリビルワッシャの量および向きは、上記に説明されているように設計によって変わることが可能であるが、好適な実施形態では、たとえば、示されている実施形態などでは、ばね４０は、交互のスタック配置になっている３つのベリビルワッシャ４２、４４、４６から構成されており、たとえば、ワッシャ４２は、第１のキー付きワッシャ３０から離れる方に角度が付いており、ワッシャ４４は、第１のキー付きワッシャ３０に向けて角度が付いており、ワッシャ４６は、第１のキー付きワッシャ３０から離れる方に角度が付いている。同様に、ベリビルワッシャおよび一般的にばねは、さまざまな直径になっているが、ドラッグ調節アセンブリ１００の中で使用されるベリビルワッシャの外径は、レバーアームユニット１０の円筒形状のフランジ１９の内径よりも小さくなっていることが理解されよう。
【００２９】
ばね４０（および、示されている実施形態では、とりわけ、３つのベリビルワッシャ４２、４４、４６）は、中心開口部４３を含む。図３に示されているように、ナット２０、第１のキー付きワッシャ３０、ばね４０、および第２のキー付きワッシャ５０の開口部２３、３３、４３、５３は、それぞれ、同軸になっており、とりわけ、軸線Ａの周りに同軸になっており、ドラッグ調節アセンブリ１００を通って延在するチャネル９０を形成している。チャネル９０は、フィッシングリール（図示せず）のメインドライブシャフトを受け入れるように設計されている。
【００３０】
図３を参照すると、示されている実施形態では、第１のキー付きワッシャ３０のタブ３８ａ、３８ｂ、３８ｃ、３８ｄ、および、第２のキー付きワッシャ５０のタブ５８ａ、５８ｂ、５８ｃ、５８ｄのそれぞれは、レバーアームユニット１０のチャネル１８ａ、１８ｂ、１８ｃ、１８ｄのうちの対応する１つに係合している。フランジ３５の外側表面３２の上のねじ切り部は、ボルト２０の内側表面２６の上のねじ切り部に対応して係合している。タブ３８ａ、３８ｂ、３８ｃ、３８ｄ、および、５８ａ、５８ｂ、５８ｃ、５８ｄとチャネル１８ａ、１８ｂ、１８ｃ、１８ｄとの係合によって、ならびに、フランジ３５の外側表面３２のねじ山とナット２０の内側表面２６のねじ山との係合によって、軸線Ａの周りのレバーアームユニット１０の回転は、集合的に、ユニットとして、軸線Ａの周りの、および、したがって、フィッシングリール（図示せず）のメインドライブシャフトに沿った、ナット２０、第１のキー付きワッシャ３０、および第２のキー付きワッシャ５０の回転移動をもたらすことが認識されよう。それとは対照的に、たとえば、ドライバヘッド２２の構成によって特定または可能にされるレンチまたは他のツールを使用することによる、軸線Ａの周りのナット２０の単独の回転は、ナット２０に対する第１のキー付きワッシャ３０の線形移動をもたらす。具体的には、ナット２０が回転させられるときに、第１のキー付きワッシャ３０の回転移動は、タブ３８ａ、３８ｂ、３８ｃ、３８ｄとチャネル１８ａ、１８ｂ、１８ｃ、１８ｄとの係合によって禁止される。結果として、第１のキー付きワッシャ３０は、係合しているねじ山３６、２６の相互作用に起因して、軸線Ａに対して平行の方向に線形に移動させられる。したがって、タブ３８ａ、３８ｂ、３８ｃ、３８ｄ、および、タブ５８ａ、５８ｂ、５８ｃ、５８ｄは、キーとして機能し、チャネル１８ａ、１８ｂ、１８ｃ、１８ｄは、キー溝として機能し、キー付きワッシャ３０、５０とレバーアームユニット１０との間のキー付きジョイントを形成する。
【００３１】
ロッキングリング６０は、レバーアームユニット１０の円筒形状のフランジ１９の内側表面１７の中の溝部６５の中に位置している。ロッキングリング６０は、溝部６５の直径よりも大きい外径を有している。結果として、ロッキングリング６０の一部分は、円筒形状のフランジ１９の内側表面１７を越えて露出される。ロッキングリング６０は、第２のキー付きワッシャ５０のためのストップを提供し、第２のキー付きワッシャ５０がフランジ１９の自由端部１７を通してレバーアームユニット１０の円筒形状のフランジ１９から離脱することを防止する。
【００３２】
スリーブ８０は、概して円筒形状になっており、滑らかな内側表面８６および滑らかな外側表面８４を有している。スリーブ８０の内径は、レバーアームユニット１０の円筒形状のフランジ１９の外径よりもちょうど大きくなっている。スリーブ８０は、円筒形状のフランジ１９の中のチャネル１８ａ、１８ｂ、１８ｃ、１８ｄをカバーすることによって、ドラッグ調節アセンブリ１００の他のコンポーネントの周りに閉じたハウジングを提供する。ある実施形態では、図２および図３に示されているように、スリーブ８０は、その内側表面８６の周りに延在するリップ８２を含む。リップ８２は、レバーアームユニット１０の円筒形状のフランジ１９の外側表面１４の溝部８５に係合し、スリーブ８０を適切な場所に固定する。
【００３３】
ドラッグ調節アセンブリ１００を使用して、フィッシングラインの上のドラッグを調節するために、ユーザは、レバーアームユニット１０を回転させる。たとえば、第１の方向にレバーアームユニット１０を回転させることにより、ナット２０および第１のキー付きワッシャ３０が第２のキー付きワッシャ５０のより近くに移動する。これは、ばね４０を圧縮し、フィッシングラインの上のドラッグの量を増加させる。レバーアームユニット１０の回転が継続するにつれて、フィッシングリールおよび／またはドラッグ調節アセンブリ１００によって許容される限り遠くまで、第１のキー付きワッシャ３０がフィッシングリール（図示せず）のメインドライブシャフトに沿って移動するまで、ばね４０の圧縮は増加し続ける。同様に、第２の方向にレバーアームユニット１０を回転させることにより、ナット２０および第１のキー付きワッシャ３０が第２のキー付きワッシャ５０から離れるように移動する。この移動は、ばね４０を弛緩させ、フィッシングラインの上のドラッグの量を減少させる。
【００３４】
第１のキー付きワッシャ３０が、ナット２０によって許容される限り第２のキー付きワッシャ５０から遠くにあるときに、キー付きワッシャ３０は、レバーアームユニット１０の回転によって最大の範囲の調節を可能にされる。換言すれば、ばね４０がその最も弛緩された位置において開始するので、ばね４０を完全に（または、ドラッグ調節アセンブリによって許容される限り完全に）圧縮するために、レバーアームユニット１０の特定の数のターンを要することになる。ばね４０を圧縮するために必要とされるターンの数は、ナット２０の中の第１のキー付きワッシャ３０の位置決めを調節することによって、（第１のキー付きワッシャ３０がナット２０によって許容される限り第２のキー付きワッシャ５０から離れて遠くにあるときに必要とされるターンの数に対して）減少させられ得る。第１の方向へのナット２０の単独の回転（レバーアームユニット１０の回転なし）により、第１のキー付きワッシャ３０が第２のキー付きワッシャ５０に向けて線形に移動し、それによって、第１のキー付きワッシャ３０がレバーアームユニット１０の回転の間に移動することができる距離を限定する。第１のキー付きワッシャ３０が第２のキー付きワッシャ５０のより近くで開始することによって、ばね４０は、開始時により圧縮された状態になっており、レバーアームユニット１０のより少ないターンが、ばね４０を完全に圧縮するために必要とされる。換言すれば、ナット２０の回転は、ドラッグ調節アセンブリ１００の中の第１のキー付きワッシャ３０の開始位置を変化させる。
【００３５】
そのうえ、ばね４０を完全に圧縮するために必要とされるレバーアームユニット１０のより少ないターンによって、レバーアームユニット１０の単一のターンによって提供されるドラッグの量は、第１のキー付きワッシャ３０が第２のキー付きワッシャ５０から離れたより遠くの位置において開始するときの、すなわち、ばね４０がより弛緩された状態で開始するときの、レバーアームユニット１０の１つのターンによって提供されるドラッグの量よりも大きいことが理解されよう。
【００３６】
たとえば、図４は、第１のシナリオおよび第２のシナリオに関して、レバーアームユニット１０の１ターン当たりに提供されるドラッグの量を示しており、第１のシナリオでは、第１のキー付きワッシャ３０は、ナット２０によって許容される限り第２のキー付きワッシャ５０から離れて遠くになっており（すなわち、ばね４０は、初期に、最も弛緩された状態になっている）、第２のシナリオでは、第１のキー付きワッシャ３０は、ナット２０によって許容される限り第２のキー付きワッシャ５０の近くになっている（すなわち、ばね４０は、初期に、いくらか圧縮された状態になっている）。図４は、レバーアームユニット１０の１ターン当たりのドラッグの変化が、第２のシナリオに関して、より大きくなっていることを示している。
【００３７】
本明細書で開示されている任意の数値範囲は、下側値および上側値（それらを含む）からのすべての値を含む。明示的な値（たとえば、１または２、または３から５、または６、または７）を含有する範囲に関して、任意の２つの明示的な値の間の任意のサブレンジが含まれる（たとえば、１から２；２から６；５から７；３から７；５から６など）。
【００３８】
なかでも、本開示の範囲は、上記に説明されているような、構成するコンポーネントの数、その材料、その形状、その相対的な配置などに限定されず、むしろ、上記の開示は、単に例示的な実施形態として提供されているに過ぎないことが認識されるべきである。さらに、改善された安全を提供することができる特徴に関して提供される任意の記載は、本明細書で開示されているプラットフォームサポートおよび一体化アセンブリ、スカッフォールドシステム、またはプラットフォームシステムの安全を約束するか、保証するか、または表現することを意図していない。
【００３９】
したがって、具体的には、本発明は、本明細書に含有されている実施形態および図示に限定されず、実施形態の一部分、および、異なる実施形態のエレメントの組み合わせを含む、それらの実施形態の修正された形態を、以下に続く特許請求の範囲内に入るものとして含むことが意図されている。
【符号の説明】
【００４０】
１０  レバーアームユニット
１１  本体部、ベース
１１ａ  前方表面
１１ｂ  後方表面
１２  把持部分
１３  開口部
１３ａ  第１のセクション
１３ｂ  第２のセクション
１３ｃ  表面
１４  外側壁部
１６  内側壁部
１７  内側表面
１８、１８ａ、１８ｂ、１８ｃ、１８ｄ  チャネル
１９  フランジ
２０  ナット
２１  主本体部
２１ａ  第１の（前方）側部
２１ｂ  第２の（後方）側部
２２  ドライバヘッド
２３  開口部
２４  外側表面
２５ａ  第１の階段状の部分
２５ｂ  第２の階段状の部分
２５ｃ  表面
２６  内側表面、ねじ山
３０  第１のキー付きワッシャ
３１  本体部
３２  外側表面
３３  開口部
３４  内側表面
３５  フランジ
３６  ねじ山、外側表面
３８、３８ａ、３８ｂ、３８ｃ、３８ｄ  タブ
４０  ばね
４２  ベリビルワッシャ
４３  中心開口部
４４  ベリビルワッシャ
４６  ベリビルワッシャ
５０  第２のキー付きワッシャ
５１  本体部
５３  開口部
５８、５８ａ、５８ｂ、５８ｃ、５８ｄ  タブ
６０  ロッキングリング
６５  溝部
８０  スリーブ
８２  リップ
８４  外側表面
８５  溝部
８６  内側表面
９０  チャネル
１００  ドラッグ調節アセンブリ
【図１】
2020517246.tif 000003
【図２】
2020517246.tif 000004
【図３】
2020517246.tif 000005
【図３Ａ】
2020517246.tif 000006
【図４】
2020517246.tif 000007
【国際調査報告】
2020517246.tif 000008
2020517246.tif 000009